(57)【要約】【課題】車載用機器のような小型モニタであってもメニュー画像の視認性及び操作性の向上を図ったディスク再生装置及びディスク再生方法を提供する。【解決手段】ディスク型記録媒体に記録された情報を再生して第１,第２の表示装置に表示するディスク再生装置であって、記録媒体に記録された情報から映像情報を復号化するとともにグラフィックデータを抽出するデコーダ部と、グラフィックデータを処理してメニュー画像信号を含む第1の画像信号を第1の表示装置に供給し、映像情報を処理して第２の画像信号を第２の表示装置に供給する信号処理部とを具備し、第１の表示装置にメニュー画像を表示して操作を行い、第２の表示装置に再生された映像情報を表示する。【選択図】図２
2009159460.tif 000002
【特許請求の範囲】
【請求項１】
ディスク型記録媒体に記録された情報を再生して第１,第２の表示装置に表示するディスク再生装置であって、
前記記録媒体に記録された情報から映像情報を復号化するとともに、前記記録媒体に記録されたグラフィックデータを抽出するデコーダ部と、
前記グラフィックデータを処理してメニュー画像信号を含む第1の画像信号を前記第1の表示装置に供給し、前記映像情報を処理して第２の画像信号を前記第２の表示装置に供給する信号処理部と、を具備し、
前記第１の表示装置に前記メニュー画像を表示して操作を行い、前記第２の表示装置に再生された映像情報を表示することを特徴とするディスク再生装置。
【請求項２】
前記第1の表示装置には、前記映像情報と前記メニュー画像が合成された画像、又は前記メニュー画像のみが表示されることを特徴とする請求項１記載のディスク再生装置。
【請求項３】
前記信号処理部は、ユーザの操作に応答して前記メニュー画像を前記第１の表示装置に表示し、かつユーザ操作に応答してメニュー画像の一部を拡大して表示可能にしたことを特徴とする請求項１記載のディスク再生装置。
【請求項４】
前記信号処理部は、ユーザ操作に応答して前記メニュー画像を拡大表示する領域を変更可能にしたことを特徴とする請求項３記載のディスク再生装置。
【請求項５】
ディスク型記録媒体に記録された情報を再生して表示装置に表示可能な車載用のディスク再生装置であって、
前記記録媒体に記録された情報から映像情報を復号化するとともに、前記記録媒体に記録されたグラフィックデータを抽出するデコーダ部と、
前記グラフィックデータを処理してメニュー画像信号を含む第1の画像信号をフロント側に配置した第1の表示装置に供給し、前記映像情報を処理して第２の画像信号をリア側に配置した第２の表示装置に供給する信号処理部と、を具備し、
前記第１の表示装置に前記メニュー画像を表示して操作を行い、前記第２の表示装置に再生された映像情報を表示することを特徴とするディスク再生装置。
【請求項６】
前記フロント側の第1の表示装置には、前記映像情報と前記メニュー画像が合成された画像、又は前記メニュー画像のみが表示されることを特徴とする請求項５記載のディスク再生装置。
【請求項７】
前記信号処理部は、ユーザの操作に応答して前記メニュー画像を前記フロント側の第１の表示装置に表示し、かつユーザ操作に応答してメニュー画像の一部を拡大して表示可能にしたことを特徴とする請求項５記載のディスク再生装置。
【請求項８】
前記信号処理部は、ユーザ操作に応答して前記メニュー画像を拡大表示する領域を変更可能にしたことを特徴とする請求項７記載のディスク再生装置。
【請求項９】
ディスク型記録媒体に記録された情報を再生して第１,第２の表示装置に表示するディスク再生方法であって、
前記記録媒体に記録された情報から映像情報を復号化するとともに、前記記録媒体に記録されたグラフィックデータを抽出し、
前記グラフィックデータを処理してメニュー画像信号を含む第1の画像信号を前記第1の表示装置に供給し、
前記映像情報を処理して第２の画像信号を前記第２の表示装置に供給し、
前記第１の表示装置に前記メニュー画像を表示して操作を行い、前記第２の表示装置に再生された映像情報を表示することを特徴とするディスク再生方法。
【請求項１０】
前記メニュー画像を、ユーザの操作に応答して前記第１の表示装置に表示し、かつユーザ操作に応答してメニュー画像の一部を拡大して表示することを特徴とする請求項９記載のディスク再生方法。
【請求項１１】
前記メニュー画像を拡大して表示する領域をユーザ操作に応答して変更可能にしたことを特徴とする請求項１０記載のディスク再生方法。
【発明の詳細な説明】
【技術分野】
【０００１】
本発明は、光ディスクであるＤＶＤ（Digital Versatile Disk）に記録された情報を再生するディスク再生装置に係り、特に車載用に適し、操作性を改善したディスク再生装置及びディスク再生方法に関する。
【背景技術】
【０００２】
近年、ＤＶＤ−Ｖｉｄｅｏ規格に準拠した光ディスク（ＤＶＤ）に対して音声信号や映像信号等の情報を記録し、それを再生するディスク再生装置が普及している。また、近年では大画面・高解像度の家庭用テレビの普及に伴い、大画面テレビに映し出す映像コンテンツの供給源として、高解像度映像を記録した次世代光ディスクが開発され、市場での販売が開始されている。
【０００３】
このような次世代光ディスクの一例としてＨＤ  ＤＶＤがあげられる。ＨＤ  ＤＶＤは、基本的には従来のＤＶＤを元に映像信号の高解像度化、音声信号の高品質化を図って拡張されたものである。また再生対象や再生方法等を指定するため、所謂メニュー情報の表示方法も拡張されている。
【０００４】
メニュー選択を行う場合、一般的には画面に表示されたメニュー画像の中からユーザが希望するアイテムをリモコン操作等により選択するようにしている。例えば、従来のＤＶＤでは、本編映像を再生中にリモコンのメニューボタンを押すと、本編の再生が停止されて、メニュー専用の画面に遷移する。さらにこのメニュー画像中のサブアイテムを指定すると、現在のメニュー画像は消え別のサブメニュー画像が新たに映し出されるようになっている。また、ＨＤ  ＤＶＤでは、本編映像を再生中にリモコンのメニューボタンを押すと、本編の再生を継続したまま、画面の一部にメニューアイテムが表示されるようになっている。
【０００５】
ＨＤ  ＤＶＤの場合、コンテンツ作成者は、これらコンテンツが大画面・高解像度のテレビモニタに映出されるという前提のもとにメニュー画像を構成しているので、１画面内に表示されるメニューアイテムの数は増加する傾向にある。このため、１つのメニューアイテムの表示サイズは、画面サイズに対して小さくなっている。
【０００６】
ところで、上記したメニュー画像の表示方法は、家庭用テレビの大画面化・高解像度化に即したものであり、そのような大型ディスブレイでＨＤ  ＤＶＤ等を再生するには問題はないが、同じＨＤ  ＤＶＤを車に搭載したモニタで再生する場合には、いくつかの問題が発生する。
【０００７】
即ち、車の中という限られた空間では、モニタの極端な大型化・高解像度化は難しい。そのため、上記のようにして作成されたコンテンツを、車載用モニタ(例えば１０インチ程度)に表示した場合は、メニュー画像及びメニュー文字が小さくなり、メニューアイテムを認識することが非常に困難になる。
【０００８】
また車載用機器は、家庭用機器と異なり機器の操作をリモコンで行うのではなく、タッチパネルで行う方法が主流である。このため、メニューアイテムのサイズが小さくなると、タッチパネルの操作時に指先よりも小さい文字を押す状況になり、操作が難しく誤操作する可能性もあった。
【０００９】
また、従来のディスク再生装置を車載用に適用した場合、フロントシート側、リアシート側（サードシート側を含む）に対して、それぞれモニタが配置されるケースがある。その際は同一信号を分岐することで、１種類の映像コンテンツを複数のモニタに出力することができる。
【００１０】
一方、車載用のディスク再生装置では、不慣れなユーザ（例えば子供）がディスク再生装置を操作する場合があり、運転者が操作手順を教えながら運転すると安全上好ましくない。したがって、簡単な操作でメニュー選択や本編の再生ができるようにしたディスク再生装置の実現を望むユーザも多い。
【００１１】
特許文献１には、操作性の向上を図ったディスク再生装置の一例が記載されているが、車載用機器についてのメニュー操作については、考慮されていない。
【特許文献１】特開２００７−１７２７６３号公報
【発明の開示】
【発明が解決しようとする課題】
【００１２】
車載用機器においてＨＤ  ＤＶＤ等の再生を行う場合、メニュー画像が小さいため、メニューアイテムを認識することが困難になり誤操作する可能性がある。またフロントシート側とリアシート側にモニタを配置した場合、リアシート側の不慣れなユーザに対して、運転者が操作手順を教えながら運転するのは安全上好ましくない。したがって、簡単な操作でメニュー選択や本編の再生ができるようにしたディスク再生装置の実現が望まれている。
【００１３】
本発明はこのような事情に鑑みて、車載用機器のような小型モニタであってもメニュー画像の視認性及び操作性の向上を図ったディスク再生装置及びディスク再生方法を提供することを目的とする。
【課題を解決するための手段】
【００１４】
請求項１記載の本発明は、ディスク型記録媒体に記録された情報を再生して第１,第２の表示装置に表示するディスク再生装置であって、前記記録媒体に記録された情報から映像情報を復号化するとともに、前記記録媒体に記録されたグラフィックデータを抽出するデコーダ部と、前記グラフィックデータを処理してメニュー画像信号を含む第1の画像信号を前記第1の表示装置に供給し、前記映像情報を処理して第２の画像信号を前記第２の表示装置に供給する信号処理部とを具備し、前記第１の表示装置に前記メニュー画像を表示して操作を行い、前記第２の表示装置に再生された映像情報を表示することを特徴とする。
【００１５】
また、請求項５記載の本発明は、ディスク型記録媒体に記録された情報を再生して表示装置に表示可能な車載用のディスク再生装置であって、前記記録媒体に記録された情報から映像情報を復号化するとともに、前記記録媒体に記録されたグラフィックデータを抽出するデコーダ部と、前記グラフィックデータを処理してメニュー画像信号を含む第1の画像信号をフロント側に配置した第1の表示装置に供給し、前記映像情報を処理して第２の画像信号をリア側に配置した第２の表示装置に供給する信号処理部とを具備し、前記第１の表示装置に前記メニュー画像を表示して操作を行い、前記第２の表示装置に再生された映像情報を表示することを特徴とする。
【００１６】
さらに、請求項９記載の本発明は、ディスク型記録媒体に記録された情報を再生して第１,第２の表示装置に表示するディスク再生方法であって、前記記録媒体に記録された情報から映像情報を復号化するとともに、前記記録媒体に記録されたグラフィックデータを抽出し、前記グラフィックデータを処理してメニュー画像信号を含む第1の画像信号を前記第1の表示装置に供給し、前記映像情報を処理して第２の画像信号を前記第２の表示装置に供給し、前記第１の表示装置に前記メニュー画像を表示して操作を行い、前記第２の表示装置に再生された映像情報を表示することを特徴とする。
【発明の効果】
【００１７】
本発明のディスク再生装置では、モニタをフロントシート側とリアシート側に配置し、フロントシート側でメニュー操作を行い、リアシート側では本編の再生映像を表示するため、運転への支障を低減することができる。また小画面のモニタにＨＤ  ＤＶＤ等のコンテンツを表示した場合でもメニュー画像を大きく表示することができ、メニュー表示の認識とメニュー操作が容易になる。
【発明を実施するための最良の形態】
【００１８】
以下、この発明のディスク再生装置の一実施形態について図面を参照して説明する。
【実施例１】
【００１９】
図１は本発明の一実施形態に係るディスク再生装置の全体構成を示すブロック図である。図１において、１１はディスク型記録媒体である光ディスクである。本発明では、ＨＤ  ＤＶＤや、ＤＶＤ−Ｖｉｄｅｏ等の大画面化・高解像度化に即した光ディスクを想定しており、以下、単にディスク１１と呼ぶ。
【００２０】
ディスク１１は、スピンドルモータ１２によって一定の線速度で回転される。ディスク１１からの情報の再生は、光ピックアップ１３によって行われ、ディスク１１にレーザ光を照射し、その反射光によってディスク１１に記録されているデータを読み出す。
【００２１】
光ピックアップ１３は、送りモータ１４によってディスク１１の半径方向に移動制御され、再生位置を決定する。１５はサーボ制御部であり、後述するシステムコントローラ３０等から供給される制御信号に応じて、スピンドルモータ１２の回転を制御するとともに、光ピックアップ１３のトラッキング制御、フォーカス制御、及び送りモータ１４の駆動制御を行う。
【００２２】
１６はＲＦアンプであり、光ピックアップ１３によって読み出したデータに対応するＲＦ信号を増幅して次段に伝達する。又、このＲＦアンプ１６は、ＲＦ信号からフォーカス制御用の信号及びトラッキング制御用の信号を分離して、これらの制御信号をサーボ制御部１５に送る。
【００２３】
サーボ制御部１５は、フォーカス制御用の信号に基づいて光ピックアップ１３のアクチュエータ(図示せず)を制御し、光ビームが、ディスク１１上に常時ジャストフォーカスとなるように制御する。また、トラッキング制御用の信号に基づいてアクチュエーを制御し、光ピックアップ１３のトラッキング方向の移動を制御する。これにより、データの再生を正確に行うようにしている。
【００２４】
１７はデジタル信号処理部であり、ＲＦアンプ１６からのＲＦ信号をデジタル化し、デジタル化された信号の復調処理と誤り訂正処理を行い、デジタル信号処理部１７による信号処理の過程で得られたデータをＲＡＭ１８に格納する。またデジタル信号から制御信号が分離され、分離された制御信号がサーボ制御部１５及び後述するシステムコントローラ３０に送られる。
【００２５】
１９はストリーム分離部であり、デジタル信号処理部１７から出力された信号を、オーディオビットストリーム、メインピクチャビットストリーム及びサブピクチャビットストリームに分離し、オーディオ・ビデオ処理部２０に供給する。メインピクチャビットストリームはＭＰＥＧ２のフォーマットに従って圧縮された信号であり、この中には映像信号が含まれる。また、サブピクチャビットストリームはランレングス圧縮方式に従って圧縮された信号であり、この中には字幕情報等が含まれる。
【００２６】
２１は、オーディオデコーダ部であり、ストリーム分離部１９で分離されたオーディオビットストリームを復号化処理して、デジタルオーディオ信号を出力する。オーディオデコーダ部２１から出力されたデジタルオーディオ信号は、Ｄ／Ａ変換器２２によってアナログオーディオ信号に変換され、アナログオーディオ信号は、パワーアンプ（図示せず）を介してスピーカ２３から出力される。
【００２７】
２４はビデオデコーダ部であり、ストリーム分離部１９で分離されたメインピクチャビットストリームを復号化処理する。２５はサブピクチャデコーダ部であり、ストリーム分離部１９で分離されたサブピクチャビットストリームを復号化処理する。
【００２８】
２６は、グラフィックデコーダ部であり、デジタル信号処理部１７からメニュー表示等に用いられるグラフィックデータを抽出する。グラフィックデコーダ部２６は、ファイルキャッシュ用のバッファを含む。尚、オーディオ・ビデオ処理部２０には、そのほかにサブビデオデコーダ部等が含まれる場合もある。
【００２９】
また２７はビデオプロセッサであり、ビデオデコーダ部２４から出力されたメインピクチャと、サブピクチャデコーダ部２５から出力されたサブピクチャ、及びグラフィックデコーダ部２６からのグラフィックデータをデジタル合成する。
【００３０】
２８はビデオエンコーダであり、ビデオプロセッサ２７から出力された合成データを表示用のビデオ信号に変換する。このビデオエンコーダ２８から出力されたビデオ信号は、液晶パネルなどの表示装置２９に供給され、画像が表示される。本発明では車載用機器を想定しており、表示装置２９は、フロントシート側の表示装置２９１とリアシート側の表示装置２９２を有する。以下、表示装置２９１，２９２をモニタ２９１，２９２と呼ぶことにする。
【００３１】
３１は、操作部であり、例えばモニタ２９１，２９２の周辺に設けたキー入力部３１１や、モニタ２９１と一体のタッチパネル３１２、或いはリモートコントローラ（リモコン）３１３である。
【００３２】
操作部３１は、再生、停止、早送り、ボリューム設定などの基本操作のほかに、メニュー表示や、メニュー選択を行う。また操作部３１は、モニタ２９１に表示されたカーソルを移動する際にも使用される。尚、操作部３１としては、キー入力部３１１、タッチパネル３１２、リモコン３１３を全て備える必要は無い。
【００３３】
システムコントローラ３０は、ＣＰＵ及びＲＯＭ等を含み、ＲＯＭに格納されたプログラムに従ってディスク再生装置の全体的な動作を制御する。システムコントローラ３０は、操作部３１からの各種の指示信号、デジタル信号処理部１７からの信号及びストリーム分離部１９からの信号を受けて、サーボ制御部１５、デジタル信号処理部１７、ストリーム分離部１９及びビデオプロセッサ２７を制御する。またシステムコントローラ３０には、ＲＡＭ３２が接続され、システムコントローラ３０の制御のもとに行われる各種の処理によって得られるデータを一時的に格納する。
【００３４】
図２は、本発明の主要部であるデコーダエンジン３３とビデオプロセッサ２７の構成を示すブロック図である。
【００３５】
デコーダエンジン３３は、ビデオデコーダ部２４と、サブピクチャデコーダ部２５と、グラフィックデコーダ部２６を含む。ビデオデコーダ部２４からは、本編の映像信号（主映像信号）が出力され、サブピクチャデコーダ部２５からは、例えば字幕信号が出力される。
【００３６】
またグラフィックデコーダ部２６からはグラフィックデータが出力される。グラフィックデータには、グラフィック画像を表示するためのグラフィック信号(ＲＧＢ信号)と、グラフィック画像の透明度を表すアルファ値のデータが含まれる。以下の説明では、グラフィック画像としてメニュー画像を表示する例を述べる。
【００３７】
ビデオデコーダ部２４はスケーラ２４１を含み、またグラフィックデコーダ部２６はスケーラ２６１を含む。スケーラ２４１，２６１は主映像のサイズ、及びメニュー画像のサイズを調整するものである。
【００３８】
例えば、デコーダエンジン３３にサブビデオデコーダ部（図示せず）が含まれる場合、サブビデオデコーダ部からの副映像と、ビデオデコーダ部２４からの主映像を同時に表示することがあるため、スケーラ２４１で主映像の表示サイズを調整できるようにしている。
【００３９】
また、グラフィックデコーダ部２６からのメニュー画像を拡大して表示する場合に、スケーラ２６１で拡大処理する。表示装置２９にメニュー画像を表示した場合、メニュー画像にはカーソル（後述）が表示され、そのカーソルで示される座標位置を中心にした所定領域のメニュー画像が拡大表示される。
【００４０】
一方、ビデオプロセッサ２７は、オーバレイコントローラ３４を含み、ビデオデコーダ部２からの主映像信号、サブピクチャデコーダ部２５からの字幕信号、及びグラフィックデコーダ部２６からのグラフィック信号(メニュー画像信号)がそれぞれオーバレイコントローラ３４に入力される。
【００４１】
オーバレイコントローラ３４は、入力された主映像信号、字幕信号、及びメニュー画像信号を選択的にオーバレイして（重ね合わせて）出力するものであり、主映像信号、字幕信号、及びメニュー画像信号を合成処理する第１の処理部３４１と、主映像信号と字幕信号を合成処理する第２の処理部３４２を有する。
【００４２】
オーバレイコントローラ３４からは、主映像信号、字幕信号、及びメニュー画像信号を合成処理した第１の出力ａと、グラフィック信号（メニュー画像）のみの第２の出力ｂと、主映像信号と字幕信号を合成処理した第３の出力ｃを得ることができる。
【００４３】
そして、第１の出力ａ又は第２の出力ｂは、第1の画像信号として第１の表示装置（フロントシート側に設けたモニタ２９１）に供給され、また第３の出力ｃは、第２の画像信号として第２の表示装置（リアシート側のモニタ２９２）に供給される。
【００４４】
尚、第１の処理部３４１において、主映像信号とグラフィック信号を合成処理する場合は、グラフィックデータに含まれるアルファ値のデータに基いて合成処理が行われる。即ち、グラフィック画像（メニュー画像）はアルファ値によって透明度が規定されているため、透明領域では主映像信号のレベルを大きくし、不透明領域ではグラフィック信号のレベルを大きくして合成するようにしている。
【００４５】
かくして、ビデオプロセッサ２７は、デコーダエンジン３３とともにグラフィックデータを処理してメニュー画像信号を含む第1の画像信号を第1のモニタ２９１に供給し、かつ映像情報を処理して第２の画像信号を第２のモニタ２９２に供給する信号処理部を構成する。尚、オーバレイコントローラ３４からの出力は、実際にはビデオエンコーダ２８（図１）を介してモニタ２９１，２９２に供給されるが、説明を分かりやすくするためビデオエンコーダ２８の図示は省略している。
【００４６】
次に図３〜図４を参照して本発明の実施形態に係るディスク再生装置の動作を説明する。
【００４７】
図３は、フロントシート側のモニタ２９１に表示される画像を説明する説明図である。操作部３１によりメニュー表示の操作が行われると、モニタ２９１にはメニュー画像が表示される。このときオーバレイコントローラ３４からは、第１の出力ａ又は第２の出力ｂがモニタ２９１に供給される。
【００４８】
図３（ａ）は、第１の出力ａによる表示画像の一例を示し、主映像信号とそれに関連する字幕信号とを含む映像情報４１(字幕信号が無い場合は主映像信号だけの映像情報４１)が表示され、その上にメニュー画像４２が重畳表示される。図３（ｂ）は、第２の出力ｂによる表示画像を示し、メニュー画像４２のみが表示される。メニュー表示の操作時に、図３（ａ）の画像を表示するか、図３（ｂ）の画像を表示するかは、ユーザが任意に設定することができる。
【００４９】
こうして、フロントシート側のユーザは、図３（ａ）又は図３（ｂ）のメニュー画像４２を見ながら各種の操作を行うことができる(メニュー画像を利用した各種の操作をメニュー操作と呼ぶことにする)。メニュー選択は、モニタ２９１に表示されたメニュー画像４２にタッチすることで行われるが、モニタ２９１の周辺に設けたキー３１１を操作して行うようにしても良い。
【００５０】
図３（ｂ）のメニュー画像４２を用いて、メニュー操作を行う場合の動作を説明する。メニュー画像４２には複数のメニューアイテム４３が含まれており、例えばチャプターサーチや、セットアップ等のメニューアイテムが表示される。ユーザがメニューアイテム４３の中のいずれかを選択（タッチ）すると、そのアイテムに関する下位層のサブメニュー４４が表示される。例えば、チャプターサーチを選択した場合、サブメニュー４４としてチャプターのサーチ方向を選択するための画像が表示され、ユーザは、サブメニュー４４を用いてチャプターサーチを行うことができる。
【００５１】
尚、メニューアイテムとしては、図示した例に限らず、音声・字幕の言語選択のアイテム等、そのほかにも幾つかのアイテムがある。
【００５２】
ところで、図３（ａ），（ｂ）では、説明のためにメニュー画像４２を大きく表示しているが、実際の車載用モニタ(例えば１０インチ程度)におけるメニュー画像の表示サイズは、全体の画面サイズに対して非常に小さくなる。このため、メニュー文字が小さくなり、メニューアイテムを認識することが困難になる。
【００５３】
そこで、本発明ではメニュー画像のサイズを拡大して表示できるようにしている。即ち、メニュー画像４２の中心部にはカーソル４５が表示されており、操作部２９を操作（例えばズームキーを操作）することにより、カーソル４５の座標位置を中心にした所定領域４６のメニュー画像が拡大表示される。図３（ｃ）では、図３（ｂ）のメニュー画像４２の内、領域４６の画像が拡大表示された状態を示している。
【００５４】
したがって、ユーザは拡大されたメニュー画像４２によって操作を実行することができる。尚、図３（ｃ）では、一部のメニュー画像４２しか表示されないため、ユーザが希望するアイテムが表示されない場合もある。このような場合、ユーザは操作部３１を操作することで、カーソル４５の位置を移動できるようにしている。これにより、拡大する領域４６を変更することができ、操作したいメニューアイテム４３を拡大して表示することができる。
【００５５】
こうしてフロントシート側のユーザはモニタ２９１に表示されたメニュー画像４２を見ながら各種の選択、設定といった操作を行うことができる。
【００５６】
次に図４を参照して、リアシート側のモニタ２９２の表示画像について説明する。図４（ａ）は、オーバレイコントローラ３４からの第１の出力ａによる表示画像を示しているが、モニタ２９２には、オーバレイコントローラ３４からの第３の出力ｃが供給されるため、メニュー画像４２は表示されない。したがって、モニタ２９２には、図４（ｂ）で示すように、主映像信号と字幕信号を含む映像情報４１のみが表示される。
【００５７】
これにより、リアシート側のユーザは、モニタ２９２に表示された映像情報４１に集中して鑑賞をすることができる。一般的に、車載用機器においては、親が運転し、子供がリアシートに座るケースが多いため、ＤＶＤの再生操作に不慣れな子供に対して、親（運転者）が画像を見ながら操作手順を教えるのは安全上好ましくない。したがって、メニュー画像を利用した各種の操作は、フロントシート側で（親が）行い、本編の映像はリアシート側で鑑賞できるようにすることで、リア側のユーザはメニュー操作を行う必要がなくなる。運転者も操作手順を教える必要がないため、安全性が向上する。
【００５８】
尚、リアシート側のモニタ２９２の周辺に、再生、停止、早送りなどの基本操作を行うキー３１１を設けておけば、簡単な基本操作はリア側で行うことができ、フロント側のユーザの手を煩わせることはない。或いは、簡単な基本操作はリモコン３１３を用いて行うようにしても良い。
【００５９】
こうして本発明の実施形態では、表示装置を複数に分けて配置し、フロント側の表示装置にはメニュー画像を表示し、リア側の表示装置には映像情報のみを表示することで、操作に慣れたユーザ（運転者）がメニュー操作を行い、不慣れなユーザは面倒な操作を行う必要がなくなる。
【００６０】
また、メニュー画像を車載用途のように比較的小画面・低解像度のモニタに表示する場合であっても、メニュー画像を拡大することができるため、メニュー情報の視認性が良好になる。またタッチパネルによりメニュー操作を行う場合も、誤って別のアイテムを選択するといった誤操作を低減することができる。
【００６１】
尚、以上の説明では、ＨＤ  ＤＶＤの再生について述べたが、これに限らず、Ｂｌｕ−Ｒａｙディスクの再生においても適用することができる。また以上の説明に限定されることなく、特許請求の範囲を逸脱しない範囲内で種々の変形が可能である。
【図面の簡単な説明】
【００６２】
【図１】本発明の一実施形態に係るディスク再生装置の構成を示すブロック図。
【図２】同実施形態の主要部の構成を示すブロック図。
【図３】同実施形態に係るディスク再生装置の動作を説明する動作説明図。
【図４】同実施形態に係るディスク再生装置の動作を説明する他の動作説明図。
【符号の説明】
【００６３】
１１…ディスク
１２…モータ
１３…光ピックアップ
１４…送りモータ
１５…サーボ制御部
１６…ＲＦアンプ
１７…デジタル信号処理部
１８…ＲＡＭ
１９…ストリーム分離部
２０…オーディオ・ビデオ処理部
２４…ビデオデコーダ部
２６…グラフィックデコーダ部
２７…ビデオプロセッサ
２８…ビデオエンコーダ
２９（２９１，２９２）…表示装置
３０…システムコントローラ
３１…操作部
３２…ＲＡＭ
３３…デコーダエンジン
３４…オーバレイコントローラ
４１…映像情報
４２…メニュー画像
【図１】
2009159460.tif 000003
【図２】
2009159460.tif 000004
【図３】
2009159460.tif 000005
【図４】
2009159460.tif 000006